(57)【要約】【課題】体内の腔に貯留した貯留液を適切に吸引でき、また金属アレルギーを発症することなく安全に使用できる医療用サクションチューブを提供する。【解決手段】医療用サクションチューブ１は、シリコーンゴム製のバスケット２と、バスケット２内に設けた金属製の錘３と、バスケット２に連結したシリコーンゴム製のチューブ本体４とを備える。バスケット２は内部に錘３を配置した略円筒状の筒状部11を有する。筒状部11の外周面から複数本の外突起部12が突出し、筒状部11の内周面から複数本の内突起部16が突出する。複数本の内突起部16は錘３の外周面に当接してこの錘３を動かないように保持する。筒状部11における隣合う外突起部12間の位置には複数の吸引孔部17を形成する。錘３の先端面を蓋部21で覆い、蓋部21と筒状部11と内突起部16との間に複数の先端吸引孔部23を形成する。【選択図】図１
2008119237.tif 000002
【特許請求の範囲】
【請求項１】
シリコーンゴム、ポリウレタン、ポリ塩化ビニル、ポリテトラフルオロエチレン、ポリエチレン、ナイロン、ポリアセタール、ポリプロピレンおよびポリカーボネートの中から選択されたいずれか一の材料からなるバスケットと、
このバスケット内に設けられた錘と、
前記バスケットに連結され、このバスケットと同じ材料からなる細長筒状のチューブ本体とを備え、
前記バスケットは、
内部に前記錘が配置された略円筒状の筒状部と、
この筒状部の外周面から突出し、前記筒状部の周方向に間隔をおいて位置し、前記筒状部の軸方向に長手状に形成された複数本の外突起部と、
前記筒状部の内周面から突出し、前記外突起部と対応するように前記筒状部の周方向に間隔をおいて位置し、前記筒状部の軸方向に長手状に形成され、前記錘の外周面に当接してこの錘を動かないように保持する複数本の内突起部と、
前記筒状部における隣合う前記外突起部間の位置に形成され、前記筒状部の軸方向に間隔をおいて位置する複数の吸引孔部と、
前記錘の先端面を覆うように設けられた蓋部と、
この蓋部と前記筒状部と前記内突起部との間に形成され、前記筒状部の周方向に間隔をおいて位置する複数の先端吸引孔部とを有する
ことを特徴とする医療用サクションチューブ。
【請求項２】
金属製の錘の外周面にシリコーン樹脂またはバスケットと同じ材料のコーティングが施してある
ことを特徴とする請求項１記載の医療用サクションチューブ。
【発明の詳細な説明】
【技術分野】
【０００１】
本発明は、体内の腔に貯留した体液や浸出液等の貯留液を吸引する医療用サクションチューブ(Suction  tube)に関し、さらに詳しくは、例えば開心術時に心嚢等に溜まった血液を持続吸引する際に、心組織がサクションチューブの吸引孔より吸引されて、吸引効率を低下させたり、心組織の壊死等を起こさないように改良した医療用サクションチューブに関するものである。
【背景技術】
【０００２】
従来、心臓の手術時に人工肺等へ血液を送るために用いるチューブ、カテーテル等において、吸引時に吸引孔から心組織等が吸引されることを防止する医療用チューブとして、例えば先端部に形成された吸引部を膨脹させて周囲の心組織等との距離を設けて、心組織等が吸引されることを防止するカニューレが知られている（例えば、特許文献１および２参照）。
【特許文献１】特開平７−８８１８８号公報
【特許文献２】実開平４−１１３５７号公報
【発明の開示】
【発明が解決しようとする課題】
【０００３】
しかしながら、上記公報記載のものは、カニューレの吸引部にスリット状の吸引孔を形成してこの吸引部を膨張させることで、その吸引孔を周知の組織から離すことを可能にし、それ以前の側孔タイプのものよりも周囲の組織は吸引され難くなってはいるものの、カニューレ本体を加工しているため、ハリがなく、潰れてしまい吸引孔が閉鎖されるおそれがあるばかりでなく、吸引部が軽いため、カニューレや吸引回路の自重で吸引部が所望の挿入位置から外れてしまうおそれもあった。
【０００４】
また一方、先端の吸引部を金属製にして外れ防止をしている製品もあるが、金属製であるため高価であり、また再使用を想定しているために清掃時に分解できることが、逆に組立不良を誘発し、さらに金属が直接組織に触れるために金属アレルギーの発症を免れなかった。
【０００５】
本発明は、このような点に鑑みなされたもので、体内の腔に貯留した貯留液を適切に吸引でき、また金属アレルギーを発症することなく安全に使用できる医療用サクションチューブを提供することを目的とする。
【課題を解決するための手段】
【０００６】
請求項１記載の医療用サクションチューブは、シリコーンゴム、ポリウレタン、ポリ塩化ビニル、ポリテトラフルオロエチレン、ポリエチレン、ナイロン、ポリアセタール、ポリプロピレンおよびポリカーボネートの中から選択されたいずれか一の材料からなるバスケットと、このバスケット内に設けられた錘と、前記バスケットに連結され、このバスケットと同じ材料からなる細長筒状のチューブ本体とを備え、前記バスケットは、内部に前記錘が配置された略円筒状の筒状部と、この筒状部の外周面から突出し、前記筒状部の周方向に間隔をおいて位置し、前記筒状部の軸方向に長手状に形成された複数本の外突起部と、前記筒状部の内周面から突出し、前記外突起部と対応するように前記筒状部の周方向に間隔をおいて位置し、前記筒状部の軸方向に長手状に形成され、前記錘の外周面に当接してこの錘を動かないように保持する複数本の内突起部と、前記筒状部における隣合う前記外突起部間の位置に形成され、前記筒状部の軸方向に間隔をおいて位置する複数の吸引孔部と、前記錘の先端面を覆うように設けられた蓋部と、この蓋部と前記筒状部と前記内突起部との間に形成され、前記筒状部の周方向に間隔をおいて位置する複数の先端吸引孔部とを有するものである。
【０００７】
請求項２記載の医療用サクションチューブは、請求項１記載の医療用サクションチューブにおいて、金属製の錘の外周面にシリコーン樹脂またはバスケットと同じ材料のコーティングが施してあるものである。
【発明の効果】
【０００８】
請求項１に係る発明によれば、手術の際等にバスケットを体内の腔に貯留した貯留液に挿入した場合に、内部に錘を設けたバスケットが所望の挿入位置から外れることがなく、またバスケットの吸引孔部および先端吸引孔部が体内の周囲の組織で閉鎖されることもなく、バスケットの吸引孔部および先端吸引孔部から体内の腔に貯留した貯留液を適切に吸引でき、また、バスケット自体は金属製でないので、金属アレルギーを発症することなく安全に使用できる。
【０００９】
請求項２に係る発明によれば、金属製の錘の外周面にシリコーン樹脂またはバスケットと同じ材料のコーティングが施してあるため、金属製の錘であっても金属成分が溶け出すことがなく、吸引した血液等を体内に戻す必要が生じた場合でも、金属アレルギーの発症をより効率的に防止できる。
【発明を実施するための最良の形態】
【００１０】
本発明の医療用サクションチューブの一実施の形態を図面を参照して説明する。
【００１１】
図１および図２において、１は医療用サクションチューブで、この医療用サクションチューブ１は、先端部に形成された吸引部である略円筒状のバスケット２と、バスケット２内に全体が覆い隠されるように埋め込まれた状態に設けられた略円柱状の金属製の錘３と、バスケット２に先端部が一体的に連結接合されバスケット２と同じ材料からなる可撓性の細長い略円筒状のチューブ本体４と、チューブ本体４の基端部に一体的に連結接合されバスケット２と同じ材料からなる略円筒状の接続コネクタ５とを備えている。
【００１２】
なお、バスケット２、チューブ本体４および接続コネクタ５は、いずれもシリコーンゴム、ポリウレタン、ポリ塩化ビニル、ポリテトラフルオロエチレン、ポリエチレン、ナイロン、ポリアセタール、ポリプロピレンおよびポリカーボネートの中から選択されたいずれか一の材料、すなわち例えばシリコーンゴムにて一体に形成されている。
【００１３】
バスケット２は、図３ないし図５にも示すように、内部に錘３が同心状に配置された略円筒状の筒状部11を有し、この筒状部11の内部空間11aはチューブ本体４の内部空間4aに連通している。
【００１４】
そして、筒状部11の外周面から複数本（例えば６本）の外突起部12が外方に向って一体に突出し、これら複数本の外突起部12は筒状部11の周方向に等間隔をおいて位置する。外突起部12は断面略矩形状で筒状部11の軸方向に長手状に形成され、筒状部11の外面先端から筒状部11の外面基端近傍にわたって位置する。外突起部12の長手方向一端部つまり筒状部11の先端側の端部には円弧面13が形成され、外突起部12の長手方向他端部つまり筒状部11の基端側の端部には傾斜面14が形成されている。
【００１５】
また、筒状部11の内周面から複数本（例えば６本）の内突起部16が内方に向ってつまり内方の錘３に向って一体に突出し、これら複数本の内突起部16は外突起部12と対応するように筒状部11の周方向に等間隔をおいて位置する。内突起部16は断面略半円状で筒状部11の軸方向に長手状に形成され、筒状部11の内面先端から筒状部11の内面基端にわたって位置する。そして、複数本の内突起部16が錘３の外周面に当接し、これら複数本の内突起部16にて錘３がバスケット２内で動かないように位置決め保持されている。
【００１６】
さらに、筒状部11における隣合う外突起部12間の位置つまり内外突起部12，16が突設されていない例えば６箇所の部分には、筒状部11の軸方向に等間隔をおいて一直線上に並んで位置する略円形状の複数の吸引孔部17が筒状部11の内外周面に貫通して形成されている。
【００１７】
また、バスケット２は、錘３の先端面全体を覆うように設けられバスケット２の平面状の先端面を構成する略円板状の蓋部21を有し、この蓋部21の外周面に複数本の内突起部16が連結接合されている。そして、蓋部21の外周面と筒状部11の先端部である円弧状の先端凹状部分22と内突起部16の先端部との間に、筒状部11の周方向に等間隔をおいて位置する複数（例えば６つ）の先端吸引孔部23が形成されている。
【００１８】
なお、バスケット２の周面に形成され筒状部11の内部空間11aに連通した吸引孔部17と、バスケット２の先端面に凹状に形成され筒状部11の内部空間11aに連通した先端吸引孔部23とにて、手術の際等に体内の腔に貯留した貯留液を吸引する吸引孔24が構成されている。
【００１９】
錘３は、例えば鉄やステンレス、真鍮等の金属材料等にて略円柱状に形成されたもので、錘３の軸方向長さ寸法はバスケット２の筒状部11の軸方向長さ寸法より若干短く、錘３の基端面は筒状部11の基端近傍の内方に位置する（図４参照）。なお、この金属製の錘３の外周面全体には、図示しないが、シリコーン樹脂またはバスケットと同じ材料のコーティングが施してある。このコーティングは、例えば溶剤等で溶解した状態の材料をデッピング、スプレー等の公知手段を用いて行う。錘３は、コーティングした後、バスケット２内に収容してから、蓋部21でその先端面を覆うようにする。
【００２０】
チューブ本体４は、先端部がバスケット２の筒状部11の基端に連結部25を介して連結接合されている。チューブ本体４の基端部には、図示しない吸引回路等の吸引手段を接続する接続コネクタ５が連結部26を介して連結接合されている。
【００２１】
なお、例えば医療用サクションチューブ１の全長は４００ｍｍ〜５００ｍｍであり、外突起部12を含めたバスケット２の外径寸法は１０ｍｍ〜１５ｍｍであり、バスケット２の軸方向長さ寸法は約３０ｍｍであり、チューブ本体４の外径寸法は４ｍｍ〜８ｍｍである。
【００２２】
次に、上記医療用サクションチューブ１の作用等を説明する。
【００２３】
使用に際しては、まず接続コネクタ５に図示しない吸引回路等の吸引手段を接続し、生理食塩液等を吸引して吸引孔部17と先端吸引孔部23からの吸引が行われていることを確認する。
【００２４】
次いで、図示しない心嚢、心腔等の血液貯留部、つまり体内の腔に貯留した貯留液内にバスケット２を挿入し、所望の挿入位置に位置させる。そして、接続コネクタ５に接続された吸引手段を作動させることで吸引が開始され、バスケット２の吸引孔24つまり吸引孔部17と先端吸引孔部23とから貯留液が吸引される。
【００２５】
この吸引時において、吸引孔部17は外突起部12により周囲の組織に直接触れることがなく、その組織が吸引孔部17に吸着して壊死等を起こすことがない。なお、血液凝固防止のためにヘパリン等を適宜使用する。
【００２６】
また、バスケット２内に錘３が埋設されているので、チューブ本体４や吸引手段等の自重によりバスケット２が貯留液内から浮き上がって所望の挿入位置から外れてしまうことがない。
【００２７】
さらに、先端吸引孔部23は蓋部21の外周面と筒状部11の先端凹状部分22と内突起部16との間に形成されているため、バスケット２の先端面つまり蓋部21が体内の周囲の組織に直接触れたとしても、先端吸引孔部23がその組織で閉鎖されるようなことがない。
【００２８】
このように医療用サクションチューブ１によれば、手術の際等にバスケット２を体内の腔に貯留した貯留液に挿入した場合に、内部に錘３を設けたバスケット２が所望の挿入位置から外れることがなく、またバスケット２の吸引孔部17および先端吸引孔部23が体内の周囲の組織で閉鎖されることもなく、バスケット２の吸引孔部17および先端吸引孔部23から体内の腔に貯留した貯留液を適切に吸引でき、また、バスケット２自体は金属製でないので、金属アレルギーを発症することなく安全に使用でき、しかも、比較的安価に製造できる。
【００２９】
また、金属製の錘３の外周面にシリコーン樹脂またはバスケット２と同じ材料のコーティングが施してあるため、金属製の錘３であっても金属成分が溶け出すことがなく、吸引した血液等を体内に戻す必要が生じた場合でも、金属アレルギーの発症をより効率的に防止できる。
【００３０】
さらに、医療用サクションチューブ１はバスケット２とチューブ本体４と接続コネクタ５とを連結接合して一体化した構成であるから、それぞれの部品が脱落することもなく、安全に使用できる。
【００３１】
なお、外突起部12の本数は６本が好ましいが、５本、７本或いは８本でもよい。外突起部12が４本以下では周囲の組織に近づき過ぎて吸引効率が低下するおそれがあり、外突起部12が８本を超えると、金型が複雑となるばかりでなく、周囲の組織と外突起部12とで形成する空間が小さくなり過ぎ、また吸引孔部17の大きさが小さくなるため、血流抵抗が大きくなって吸引効率が低下するおそれがある。
【００３２】
また、金属製の錘３の外周面にシリコーン樹脂またはバスケット２と同じ材料でコーティングした構成には限定されず、錘３の外周面にコーティングしないものであってもよい。
【図面の簡単な説明】
【００３３】
【図１】本発明の一実施の形態に係る医療用サクションチューブの斜視図である。
【図２】同上医療用サクションチューブの断面図である。
【図３】同上医療用サクションチューブの断面図である。
【図４】図３におけるＩＶ−ＩＶ線断面図である。
【図５】図３におけるＶ−Ｖ線断面図である。
【符号の説明】
【００３４】
１    医療用サクションチューブ
２    バスケット
３    錘
４    チューブ本体
11    筒状部
12    外突起部
16    内突起部
17    吸引孔部
21    蓋部
23    先端吸引孔部
【図１】
2008119237.tif 000003
【図２】
2008119237.tif 000004
【図３】
2008119237.tif 000005
【図４】
2008119237.tif 000006
【図５】
2008119237.tif 000007